(57)【特許請求の範囲】
【請求項１】
静止画撮影及び動態撮影に対応する放射線源と静止画撮影のみに対応する放射線源とを含む複数の放射線源と、
前記放射線源により照射され被写体を透過した放射線を検出して画像データを生成する放射線検出器であって、静止画撮影又は動態撮影の少なくとも一方の撮影に対応する一又は複数の可搬型放射線検出器と、
前記放射線源から照射された放射線を検出可能な位置に前記放射線検出器を保持する複数のブッキー装置と、
前記放射線検出器及び前記ブッキー装置と通信接続され、外部装置から入力された撮影オーダ情報のうち操作手段により選択された撮影オーダ情報に基づいて前記放射線検出器を制御するコンソールと、
を備えた放射線画像撮影システムであって、
前記放射線源のそれぞれは、前記複数のブッキー装置のそれぞれに対応して設けられ、
前記ブッキー装置のそれぞれは、
前記放射線検出器が装着されたことを検知する検知手段と、
前記検知手段により前記放射線検出器が装着されたことが検知されると、前記装着された放射線検出器から当該放射線検出器の識別情報を取得し、当該取得した放射線検出器の識別情報を自己のブッキー装置の識別情報とともに前記コンソールに送信する通知手段と、を備え、
前記コンソールは、
前記放射線検出器の識別情報と当該放射線検出器の種類とを対応付けて記憶するとともに、前記複数の各ブッキー装置の識別情報とそのブッキー装置に対応する放射線源の種類の情報とを対応付けて記憶する記憶手段と、
前記ブッキー装置から送信された放射線検出器及びブッキー装置の識別情報、並びに前記記憶手段に記憶されている情報に基づいて、前記選択された撮影オーダ情報に基づく撮影の実施可否を判断する判断手段と、
前記判断手段による撮影可否の判断結果を表示する表示手段と、
を備える放射線画像撮影システム。
【請求項２】
前記コンソールは、更に、前記放射線源と通信接続され、外部装置から入力された撮影オーダ情報のうち操作手段により選択された撮影オーダ情報に基づいて前記放射線源及び前記放射線検出器を制御する請求項１に記載の放射線画像撮影システム。
【請求項３】
前記放射線検出器は、前記ブッキー装置に装着されると、前記生成した画像データを前記ブッキー装置経由で前記コンソールに送信し、動態撮影が行われた場合は、前記生成した画像データを順次前記コンソールに送信する請求項１又は２に記載の放射線画像撮影システム。
【請求項４】
静止画撮影又は動態撮影の少なくとも一方の撮影に対応する放射線源と、
前記放射線源により照射され被写体を透過した放射線を検出して画像データを生成する放射線検出器であって、静止画撮影又は動態撮影の少なくとも一方の撮影に対応する一又は複数の可搬型放射線検出器と、
前記放射線検出器と通信接続され、外部装置から入力された撮影オーダ情報のうち操作手段により選択された撮影オーダ情報に基づいて前記放射線検出器を制御する少なくとも１台のコンソールと、
を有し、
一又は複数の前記放射線源が複数の撮影室のそれぞれに設けられた放射線画像撮影システムであって、
前記各撮影室は、
当該撮影室へ侵入する前記放射線検出器を検出する検出手段と、
前記検出手段により前記放射線検出器が検出された際に当該検出された放射線検出器から識別情報を取得して前記コンソールへ通知する通知手段と、を備え、
前記コンソールは、
表示手段と、
前記各撮影室に設けられた放射線源の種類の情報と、前記各撮影室の通知手段により通知された放射線検出器の識別情報と、を前記各撮影室に対応付けて記憶するとともに、前記放射線画像撮影システムで使用される前記放射線検出器の識別情報及び種類の情報を記憶する記憶手段と、
前記選択された撮影オーダ情報により動態撮影が指示されている場合に、前記記憶手段に記憶されている情報に基づいて動態撮影が可能な撮影室を抽出して前記表示手段に表示する制御手段と、
を備える放射線画像撮影システム。
【請求項５】
前記コンソールは、更に、前記放射線源と通信接続され、
前記制御手段は、前記表示された撮影室の中から前記操作手段により一の撮影室が指定されると、当該指定された撮影室内の放射線源及び放射線検出器を起動させる請求項４に記載の放射線画像撮影システム。
【請求項６】
前記コンソールにおいて、
前記記憶手段は、前記放射線検出器からの画像受信履歴を記憶し、
前記制御手段は、前記記憶手段に記憶されている前記放射線検出器からの画像受信履歴に基づいて、動態撮影が可能な放射線検出器が使用中であるか否かを判断し、使用中であると判断された場合は、その旨を警告する表示を前記表示手段に表示させる請求項４又は５に記載の放射線画像撮影システム。
【発明の詳細な説明】
【技術分野】
【０００１】
本発明は、放射線画像撮影システムに関する。
【背景技術】
【０００２】
従来のフィルム／スクリーンや輝尽性蛍光体プレートを用いた放射線の静止画撮影及び診断に対し、ＦＰＤ（flat panel detector）等の半導体イメージセンサを利用して診断対象部位の動態画像を撮影し、診断に応用する試みがなされるようになってきている。具体的には、半導体イメージセンサの画像データの読取・消去の応答性の早さを利用し、半導体イメージセンサの読取・消去のタイミングと合わせて放射源からパルス状の放射線を連続照射し、１秒間に複数回の撮影を行って、診断対象部位の動態を撮影する。撮影により取得された一連の複数枚の画像を順次表示することにより、医師は検査対象部位の一連の動きを認識することが可能となる。
【０００３】
また、動態撮影で得られた一連のフレーム画像に基づいて当該動態に関する特徴量を算出し、早期診断に向けて診断支援情報として医師に提供することが提案されている。例えば、特許文献１には、動態画像を構成する複数のフレーム画像間で画素値の差を示す差分画像を生成し、生成された差分画像を順次切り替えて表示する技術が記載されている。
【先行技術文献】
【特許文献】
【０００４】
【特許文献１】特開２００３−２９８９３９号公報
【発明の概要】
【発明が解決しようとする課題】
【０００５】
ところで、動態撮影を行うには、動態撮影対応の（動態撮影可能な）ＦＰＤ及びパルス照射機能を有する放射線源を用いて撮影を行う必要がある。動態撮影対応のＦＰＤや放射線源は高価であるので、医療施設内の全ての撮影室が対応しているケースは少ない。従って、多数の撮影室を有する大規模な放射線科においては、動態撮影対応のＦＰＤ及び放射線源を組み合わせて動態撮影が行われるようにしなければならない。
【０００６】
どちらかというと、動態撮影対応の放射線源は撮影室に固定的なブッキー装置と組み合わせて用いられるが、ＦＰＤはコスト面もあり、各撮影室で使用可能な可搬型が用いられることが多い。また、同一のＦＰＤで静止画撮影を行ったり動態撮影を行ったりすることも行われている。このように、可搬型のＦＰＤや静止画撮影及び動態撮影兼用のＦＰＤが医療施設内で使用されると、撮影オーダとのミスマッチで使用されることも考えられ、この場合、本来の目的に合致した画像データが得られず、再撮影となり、患者の被曝線量を増大させる結果となってしまう。
【０００７】
本発明の課題は、静止画撮影と動態撮影の双方を実施することが可能な医療施設において誤撮影を防止することである。
【課題を解決するための手段】
【０００８】
上記課題を解決するため、請求項１に記載の発明は、
静止画撮影及び動態撮影に対応する放射線源と静止画撮影のみに対応する放射線源とを含む複数の放射線源と、
前記放射線源により照射され被写体を透過した放射線を検出して画像データを生成する放射線検出器であって、静止画撮影又は動態撮影の少なくとも一方の撮影に対応する一又は複数の可搬型放射線検出器と、
前記放射線源から照射された放射線を検出可能な位置に前記放射線検出器を保持する複数のブッキー装置と、
前記放射線検出器及び前記ブッキー装置と通信接続され、外部装置から入力された撮影オーダ情報のうち操作手段により選択された撮影オーダ情報に基づいて前記放射線検出器を制御するコンソールと、
を備えた放射線画像撮影システムであって、
前記放射線源のそれぞれは、前記複数のブッキー装置のそれぞれに対応して設けられ、
前記ブッキー装置のそれぞれは、
前記放射線検出器が装着されたことを検知する検知手段と、
前記検知手段により前記放射線検出器が装着されたことが検知されると、前記装着された放射線検出器から当該放射線検出器の識別情報を取得し、当該取得した放射線検出器の識別情報を自己のブッキー装置の識別情報とともに前記コンソールに送信する通知手段と、を備え、
前記コンソールは、
前記放射線検出器の識別情報と当該放射線検出器の種類とを対応付けて記憶するとともに、前記複数の各ブッキー装置の識別情報とそのブッキー装置に対応する放射線源の種類の情報とを対応付けて記憶する記憶手段と、
前記ブッキー装置から送信された放射線検出器及びブッキー装置の識別情報、並びに前記記憶手段に記憶されている情報に基づいて、前記選択された撮影オーダ情報に基づく撮影の実施可否を判断する判断手段と、
前記判断手段による撮影可否の判断結果を表示する表示手段と、
を備える。
【０００９】
請求項２に記載の発明は、請求項１に記載の発明において、
前記コンソールは、更に、前記放射線源と通信接続され、外部装置から入力された撮影オーダ情報のうち操作手段により選択された撮影オーダ情報に基づいて前記放射線源及び前記放射線検出器を制御する。
【００１０】
請求項３に記載の発明は、請求項１又は２に記載の発明において、
前記放射線検出器は、前記ブッキー装置に装着されると、前記生成した画像データを前記ブッキー装置経由で前記コンソールに送信し、動態撮影が行われた場合は、前記生成した画像データを順次前記コンソールに送信する。
【００１１】
請求項４に記載の発明は、
静止画撮影又は動態撮影の少なくとも一方の撮影に対応する放射線源と、
前記放射線源により照射され被写体を透過した放射線を検出して画像データを生成する放射線検出器であって、静止画撮影又は動態撮影の少なくとも一方の撮影に対応する一又は複数の可搬型放射線検出器と、
前記放射線検出器と通信接続され、外部装置から入力された撮影オーダ情報のうち操作手段により選択された撮影オーダ情報に基づいて前記放射線検出器を制御する少なくとも１台のコンソールと、
を有し、
一又は複数の前記放射線源が複数の撮影室のそれぞれに設けられた放射線画像撮影システムであって、
前記各撮影室は、
当該撮影室へ侵入する前記放射線検出器を検出する検出手段と、
前記検出手段により前記放射線検出器が検出された際に当該検出された放射線検出器から識別情報を取得して前記コンソールへ通知する通知手段と、を備え、
前記コンソールは、
表示手段と、
前記各撮影室に設けられた放射線源の種類の情報と、前記各撮影室の通知手段により通知された放射線検出器の識別情報と、を前記各撮影室に対応付けて記憶するとともに、前記放射線画像撮影システムで使用される前記放射線検出器の識別情報及び種類の情報を記憶する記憶手段と、
前記選択された撮影オーダ情報により動態撮影が指示されている場合に、前記記憶手段に記憶されている情報に基づいて動態撮影が可能な撮影室を抽出して前記表示手段に表示する制御手段と、
を備える。
【００１２】
請求項５に記載の発明は、請求項４に記載の発明において、
前記コンソールは、更に、前記放射線源と通信接続され、
前記制御手段は、前記表示された撮影室の中から前記操作手段により一の撮影室が指定されると、当該指定された撮影室内の放射線源及び放射線検出器を起動させる。
【００１３】
請求項６に記載の発明は、請求項４又は５に記載の発明において、
前記コンソールにおいて、
前記記憶手段は、前記放射線検出器からの画像受信履歴を記憶し、
前記制御手段は、前記記憶手段に記憶されている前記放射線検出器からの画像受信履歴に基づいて、動態撮影が可能な放射線検出器が使用中であるか否かを判断し、使用中であると判断された場合は、その旨を警告する表示を前記表示手段に表示させる。
【発明の効果】
【００１５】
本発明によれば、静止画撮影と動態撮影の双方を実施することが可能な医療施設において誤撮影を防止することが可能となる。
【図面の簡単な説明】
【００１６】
【図１】本実施形態に係る診断支援情報生成システムの全体構成を示す図である。
【図２】ブッキー装置の機能的構成を示すブロック図である。
【図３】コンソールの機能的構成を示すブロック図である。
【図４】撮影管理テーブルのデータ格納例を示す図である。
【図５】ＦＰＤの機能的構成を示すブロック図である。
【図６】診断支援情報生成システムの動作を示すフロー図である。
【図７】選択用画面の一例を示す図である。
【図８】最大流速比の解析結果を示す図である。
【図９】診断支援情報生成システムの変形例を示す図である。
【図１０】変形例における撮影管理テーブルのデータ格納例を示す図である。
【発明を実施するための形態】
【００１７】
以下、本発明に係る放射線画像撮影システムを含んで構成される診断支援情報生成システムの実施の形態について、図面を参照して説明する。ただし、本発明は以下の図示例のものに限定されるものではない。
【００１８】
図１は、本発明の実施の形態に係る診断支援情報生成システム１００の全体構成例を示す図である。
図１に示す撮影室Ｒ１〜Ｒ３は、患者の身体の一部である被写体（すなわち患者の撮影部位）に放射線を照射して被写体の動態撮影又は静止画撮影を行うための室である。
動態撮影とは、被写体に対し、Ｘ線等の放射線をパルス的に連続照射して複数の画像を取得（即ち、連続撮影）することをいう。動態撮影では、例えば、呼吸運動に伴う肺の膨張及び収縮の形態変化、心臓の拍動等の、周期性（サイクル）を持つ被写体の動態を撮影する。この連続撮影により得られた一連の画像を動態画像と呼ぶ。また、動態画像を構成する複数の画像のそれぞれをフレーム画像と呼ぶ。
静止画撮影とは、従来のフィルム方式やＣＲ方式と同様に撮影部位の濃度分解能に基づく診断に使用されるもので、被写体に対し、Ｘ線等の放射線を１回照射して一枚の静止画像を取得することをいう。
【００１９】
撮影室Ｒ１は、単射及び連射が可能な放射線源３ａが設けられた、被写体の動態撮影又は静止画撮影をするための室である。
撮影室Ｒ１には、例えば、立位撮影用のブッキー装置１と、臥位撮影用のブッキー装置２と、放射線源３ａと、クレードル４と、コンソール５と、操作卓６と、アクセスポイントＡＰと、が備えられている。
【００２０】
撮影室Ｒ２は、単射のみが可能な放射線源３ｂ及びポータブル撮影用の放射線源３ｃが設けられた、被写体の静止画撮影をするための室である。
撮影室Ｒ２には、例えば、立位撮影用のブッキー装置１と、臥位撮影用のブッキー装置２と、放射線源３ｂ、３ｃと、クレードル４と、コンソール５と、操作卓６と、アクセスポイントＡＰと、が設けられている。
【００２１】
撮影室Ｒ３は、単射のみが可能な放射線源３ｂが設けられた、被写体の静止画撮影をするための室である。
撮影室Ｒ３には、例えば、立位撮影用のブッキー装置１と、臥位撮影用のブッキー装置２と、放射線源３ｂと、クレードル４と、コンソール５と、操作卓６と、アクセスポイントＡＰと、が設けられている。
【００２２】
なお、各撮影室Ｒ１〜Ｒ３には前室Ｒａと撮影実施室Ｒｂが設けられ、前室Ｒａにコンソール５及び操作卓６が備えられることで、撮影技師等の操作者の被曝を防止するようになっている。
【００２３】
ブッキー装置１は、立位での撮影時にＦＰＤ９ａ又は９ｂを保持して撮影を行うための装置である。
図２に、ブッキー装置１の機能構成例を示す。図２に示すように、ブッキー装置１は、
制御部１１と、検出器装着部１２と、通信Ｉ／Ｆ１３と、駆動部１４とを備えて構成されている。
【００２４】
制御部１１は、ＣＰＵ（Central Processing Unit）、ＲＯＭ(Read Only Memory)、ＲＡＭ（Random Access Memory）により構成される。制御部１１のＲＯＭには、ブッキー装置１の各部を制御するための各種処理プログラムや処理に必要なデータ、当該ブッキー装置１の識別情報であるブッキーＩＤ等が記憶されている。ＣＰＵは、ＲＯＭに記憶されているプログラムとの協働によりブッキー装置１各部の動作を統括的に制御する。
例えば、制御部１１は、検出器装着部１２にＦＰＤ９ａ又は９ｂが装着されると、装着されたＦＰＤにコネクタ１２ｂを介してＦＰＤＩＤ（ＦＰＤの識別情報）の送信要求を行い、ＦＰＤＩＤが受信されると、自己の識別番号であるブッキーＩＤをＦＰＤＩＤに対応付けて通信Ｉ／Ｆ１３を介してコンソール５に送信する。また、受信されたＦＰＤＩＤを一時的にＲＡＭに記憶する。
また、例えば、制御部１１は、検出器装着部１２からＦＰＤが抜き取られると、通信Ｉ／Ｆ１３を介してコンソール５にＦＰＤＩＤを送信し、当該ＦＰＤＩＤの（撮影管理テーブル５２１からの）消去要求を行う。
【００２５】
検出器装着部１２は、被写体を介して放射線源から照射された放射線を検出可能な位置にＦＰＤ（ＦＰＤ９ａ又はＦＰＤ９ｂ）を保持するための保持部１２ａと、保持部１２ａに装着されたＦＰＤのコネクタ９４と接続し、保持部１２ａへのＦＰＤの装着を検知するためのコネクタ１２ｂとを有する。コネクタ１２ｂは、保持部１２ａに装着されたＦＰＤとの間でデータ送受信を行ったり、ＦＰＤに電力を供給したりする。
【００２６】
通信Ｉ／Ｆ１３は、アクセスポイントＡＰを介してコンソール５等の外部機器と通信ケールを介してデータ送受信を行うためのインターフェースである。
【００２７】
駆動部１４は、図示しないフットスイッチ等の操作に応じて検出器装着部１２を垂直方向又は水平方向に移動させる。
【００２８】
ブッキー装置２は、臥位での撮影時にＦＰＤ９ａ又は９ｂを保持して撮影を行うための装置である。
ブッキー装置２は、制御部２１と、検出器装着部２２と、通信Ｉ／Ｆ２３と、駆動部２４とを備えて構成されている。制御部２１、検出器装着部２２、通信Ｉ／Ｆ２３、駆動部２４は、それぞれ上述の制御部１１、検出器装着部１２、通信Ｉ／Ｆ１３、駆動部１４と同様の構成であるので説明を援用する。更に、ブッキー装置２は、被写体を載置するための被写体台２６を備える。
なお、ブッキー装置１、２のそれぞれには、撮影時に放射線源３ａ又は３ｂが対応するようになっている。
【００２９】
放射線源３ａは、単射及び連射（パルス照射）が可能な放射線発生装置である。即ち、静止画撮影と動態撮影の双方に対応した放射線発生装置である。放射線源３ａは、例えば、撮影室Ｒ１、Ｒ３の天井から吊り下げられており、撮影時にはコンソール５からの指示に基づいて起動され、図示しない駆動機構によりにより所定の位置、向きに調整されるようになっている。そして、放射線の照射方向を変えることで、立位用のブッキー装置１又は臥位用のブッキー装置２に対応して、ブッキー装置１又は２に装着されたＦＰＤ９ａ又は９ｂに対して放射線を照射することができるようになっている。また、放射線源３ａは、コンソール５からの指示に従って放射線を１回又は連続して照射し、静止画撮影又は動態撮影を行う。
なお、放射線源３aは動態撮影のみに使用可能であっても良い。
【００３０】
放射線源３ｂは、単射のみが可能な放射線発生装置である。即ち、静止画撮影のみに対応した放射線発生装置である。放射線源３ｂは、例えば、撮影室Ｒ２の天井から吊り下げられており、撮影時にはコンソール５からの指示に基づいて起動され、図示しない駆動機構によりにより所定の位置、向きに調整されるようになっている。そして、放射線の照射方向を変えることで、立位用のブッキー装置１又は臥位用のブッキー装置２に対応して、ブッキー装置１又は２に装着されたＦＰＤ９ａ又は９ｂ放射線を照射することができるようになっている。また、放射線源３ｂは、コンソール５からの指示に従って放射線を１回照射し、静止画撮影を行う。
【００３１】
放射線源３ｃは、移動可能なポータブル撮影用の放射線源である。放射線源３ｃは、単射のみが可能である。
【００３２】
クレードル４は、装着されたＦＰＤと接続するための図示しないコネクタを有し、ＦＰＤが装着されたことをコネクタにより検知すると、装着されたＦＰＤからコネクタを介してＦＰＤＩＤを取得して、コンソール５に通知する。
コンソール５は、当該ＦＰＤＩＤを取得すると、以後、当該ＦＰＤを自己の制御下におき、起動やスリープ遷移等を制御する。
なお、本実施の形態においては、ＦＰＤを撮影室内に持ち込んだ際及び持ち出す際にクレードル４に装着することで、ＦＰＤの撮影室への侵入及び持ち出しをクレードル４を介してコンソール５で検知できるようになっている。
なお、ＦＰＤの撮影室への侵入及び持ち出しは、上記のクレードル方式以外も採用可能で、例えば、ＷＯ２００８／１１１３５５号公報に開示されているＲＦＩＤ方式等を用いることができる。
【００３３】
コンソール５は、放射線源３ａ、３ｂやＦＰＤ９ａ、９ｂを制御することにより撮影を制御するための装置である。コンソール５は、ＬＡＮ（Local Area Network）を介してＨＩＳ／ＲＩＳ（Hospital Information System/ Radiology Information System）７、解析用ＷＳ８、ＰＡＣＳ（Picture Archiving and Communication System）１０等に接続されており、ＨＩＳ／ＲＩＳ７から送信された撮影オーダ情報に基づいて、コンソール５が対応つけられている（設置されている）撮影室でそのオーダの撮影が可能であるか否かを判断し、判断結果を表示する。そして、撮影が可能である場合、コンソール５は撮影に用いられる放射線源及びＦＰＤを起動させる等の制御をして撮影を行わせる。
【００３４】
図３に、コンソール５の要部構成例を示す。図３に示すように、コンソール５は、制御部５１、記憶部５２、入力部５３、表示部５４、通信Ｉ／Ｆ５５、ネットワーク通信部５６等を備えて構成されており、各部はバス５７により接続されている。
【００３５】
制御部５１は、ＣＰＵ、ＲＡＭ等により構成される。制御部５１のＣＰＵは、記憶部５２に記憶されているシステムプログラムや処理プログラム等の各種プログラムを読み出してＲＡＭに展開し、展開されたプログラムに従って各種処理を実行する。
例えば、制御部５１は、通信Ｉ／Ｆ５５を介してＦＰＤＩＤ及びブッキーＩＤが受信されると、記憶部５２の撮影管理テーブル５２１（図４参照）の受信されたブッキーＩＤに対応する領域にＦＰＤＩＤを書き込む。また、制御部５１は、通信Ｉ／Ｆ５５を介してクレードル４からＦＰＤＩＤが受信されると、記憶部５２の撮影管理テーブル５２１のブッキーＩＤが対応付けられていない領域にＦＰＤＩＤを書き込む。また、制御部５１は、ブッキー装置１又は２を介して画像データが受信されると、画像受信時刻を撮影管理テーブル５２１の送信元のブッキー装置のブッキーＩＤに対応する領域に記憶させる。
【００３６】
また、例えば、制御部５１は、所定時間毎にネットワーク通信部５６を介してＨＩＳ／ＲＩＳ７に問い合わせを行い、新たにＨＩＳ／ＲＩＳ７で登録された撮影オーダ情報を取得する。
また、例えば、制御部５１は、後述する撮影・解析処理を実行し、ＨＩＳ／ＲＩＳ７から取得した撮影オーダ情報に基づいて、このコンソール５が設置されている撮影室でそのオーダの撮影が可能であるか否かを判断し、判断結果を表示する。そして、撮影が可能である場合、コンソール５は撮影に用いられる放射線源及び撮影に用いられるＦＰＤを制御して撮影を行わせる。
【００３７】
記憶部５２は、例えばＨＤＤ（Hard Disk Drive）や半導体の不揮発性メモリ等で構成
されている。
【００３８】
記憶部５２には、各種のプログラム及びデータが記憶されている。
例えば、記憶部５２には、各撮影室における撮影を管理するための撮影管理テーブル５２１が記憶されている。
図４に、撮影管理テーブル５２１のデータ格納例を示す。図４に示すように、撮影管理テーブル５２１には、「ブッキーＩＤ」、「管球タイプ」、「ＦＰＤＩＤ」、「画像受信時刻」等の項目が設けられている。「ブッキーＩＤ」、「管球タイプ」の領域には、当該コンソール５が設置されている撮影室に設けられているブッキー装置及びそれぞれのブッキー装置に対応する放射線源のタイプの情報が予め設定されている。ブッキーＩＤに対応付けられている「ＦＰＤＩＤ」の領域は、そのブッキーＩＤに装着されているＦＰＤを管理するための領域であり、ブッキー装置からＦＰＤＩＤ及びブッキーＩＤが受信された際に、受信されたＦＰＤＩＤがブッキーＩＤに対応付けて格納される。また、ブッキーＩＤが対応付けられていない「ＦＰＤＩＤ」の領域は、撮影室に存在するＦＰＤを管理するための領域であり、クレードル４からＦＰＤＩＤが受信された際に、受信されたＦＰＤＩＤが格納される。なお、ブッキー装置からＦＰＤが抜き取られてＦＰＤＩＤの消去要求が受信された場合には、制御部５１により消去要求されたＦＰＤＩＤのうち当該ブッキーＩＤに対応して格納されているＦＰＤＩＤは消去される。また、ブッキーＩＤが対応付けられていない「ＦＰＤＩＤ」の領域に格納されているＦＰＤＩＤがクレードル４から受信されると、制御部５１によりそのＦＰＤＩＤのＦＰＤは撮影室から持ち出された（即ち、撮影室に存在しなくなった）と判断され、そのＦＰＤＩＤは撮影管理テーブル５２１から消去される。また、「画像受信時刻」には、通信Ｉ／Ｆ５５から画像データが受信された際に、その時刻が格納される。
【００３９】
また、記憶部５２には、画像データから患部を検出するための自動部位認識に基づく階調処理・周波数処理等の画像処理を行うためのプログラム等、各種のプログラムが記憶されているほか、撮影画像の画像データを部位毎の診断に適した画質に調整するための画像処理パラメータ（階調処理に用いる階調曲線を定義したルックアップテーブル、周波数処理の強調度等）等が記憶されている。
【００４０】
また、記憶部５２には、撮影の種類（動態又は静止画）と撮影部位との組み合わせに対応付けて放射線照射条件及び画像読取条件が記憶されている。放射線照射条件は、例えば、連続照射時のパルスレート、パルス幅、パルス間隔、１撮影あたりの撮影フレーム数、Ｘ線管電流の値、Ｘ線管電圧の値、フィルタ種等である。パルスレートは、１秒あたりの放射線照射回数であり、後述するフレームレートと一致している。パルス幅は、放射線照射１回当たりの放射線照射時間である。パルス間隔は、連続撮影において、１回の放射線照射開始から次の放射線照射開始までの時間であり、後述するフレーム間隔と一致している。画像読取条件は、例えば、フレームレート、フレーム間隔、画素サイズ、画像サイズ（マトリックスサイズ）等である。フレームレートは、１秒あたりに取得するフレーム画像数であり、パルスレートと一致している。フレーム間隔は、連続撮影において、１回のフレーム画像の取得動作開始から次のフレーム画像の取得動作開始までの時間であり、パルス間隔と一致している。
【００４１】
また、記憶部５２には、診断支援情報生成システム１００に登録されている各ＦＰＤ９ａ、９ｂのＦＰＤＩＤと、そのＦＰＤで撮影可能な撮影の種類（動態、静止画）とが対応付けて記憶されている。また、記憶部５２には、診断支援情報生成システム１００に登録されている各ブッキー装置１、２のブッキーＩＤと、そのブッキー装置で撮影可能な体位（立位又は臥位）とが対応付けて記憶されている。
【００４２】
また、記憶部５２は、所定時間毎にＨＩＳ／ＲＩＳ７から送信される撮影オーダ情報を記憶する。
【００４３】
入力部５３は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部５１に出力する。
【００４４】
表示部５４は、例えば、ＣＲＴ（Cathode Ray Tube）やＬＣＤ（Liquid Crystal Display）等のモニタを備えて構成されており、制御部５１から入力される表示信号の指
示に従って、各種画面を表示する。
なお、表示部５４の画面上に、透明電極を格子状に配置した感圧式（抵抗膜圧式）のタッチパネル（図示せず）を形成し、表示部５４と入力部５３とが一体に構成されるタッチスクリーンとしてもよい。この場合、タッチパネルは、手指やタッチペン等で押下された力点のＸＹ座標を電圧値で検出し、検出された位置信号が操作信号として制御部５１に出力されるように構成される。なお、表示部５４は、一般的なＰＣ（Personal Computer）に用いられるモニタよりも高精細のものであってもよい。
【００４５】
通信Ｉ／Ｆ５５は、ブッキー装置１、ブッキー装置２、放射線源３ａ〜３ｃ、ＦＰＤ９ａ又は９ｂとアクセスポイントＡＰを介して接続し、無線、または有線によりデータ送受信を行うためのインターフェースである。本実施形態において、通信Ｉ／Ｆ５５はアクセスポイントＡＰを介して必要に応じてＦＰＤ９ａ、９ｂに対してポーリング信号を送信する。  
【００４６】
ネットワーク通信部５６は、ネットワークインターフェース等により構成され、スイッチングハブを介して通信ネットワークＮに接続された外部機器との間でデータの送受信を行う。
【００４７】
操作卓６は、撮影室内の放射線源に接続され、放射線照射指示を入力するための入力装置である。
【００４８】
ＨＩＳ／ＲＩＳ７は、問診結果等に基づくオペレータによる登録操作に応じて撮影オーダ情報を生成する。撮影オーダ情報は、例えば被写体となる患者の氏名等の患者情報や、撮影部位、撮影方向、体位（立位、臥位）、撮影方法、解析要否、解析項目等の撮影予約に関する情報等を含んでいる。なお、撮影オーダ情報はここに例示したものに限定されず、これ以外の情報を含んでいてもよいし、上記に例示した情報のうちの一部でもよい。
【００４９】
解析用ＷＳ８は、ＣＰＵ、ＲＡＭ等により構成される制御部と、解析用プログラムを記憶する記憶部と、入力部と、表示部と、通信ネットワークＮを介してコンソール５等の外部機器とデータ送受信を行うための通信部とを備えて構成されるワークステーションである。解析用ＷＳ８は、制御部と記憶部に記憶されている解析用プログラムとの協働により、コンソール５から送信された一連のフレーム画像に基づいて解析処理を行い、解析結果をコンソール５に送信する。
【００５０】
ＦＰＤ９ａは、パルス照射撮影可能な動態撮影及び静止画撮影対応の放射線検出器である。
図５に、ＦＰＤ９ａの機能構成例を示す。図５に示すように、ＦＰＤ９ａは、制御部９１、検出部９２、記憶部９３、コネクタ９４、バッテリ９５、無線通信部９６等を備えて構成され、各部はバス９７により接続されている。
【００５１】
制御部９１は、ＣＰＵ、ＲＡＭ等により構成される。制御部９１のＣＰＵは、記憶部９３に記憶されているシステムプログラムや処理プログラム等の各種プログラムを読み出してＲＡＭに展開し、展開されたプログラムに従って各種処理を実行する。
例えば、制御部９１は、コネクタ９４を介して接続されたブッキー装置１又は２からの要求に応じてＦＰＤ９ａの識別情報であるＦＰＤＩＤを記憶部９３から読み出して要求元のブッキー装置に送信する。
また、例えば、制御部９１は、コンソール５から入力された画像読取条件に基づいて検出部９２のスイッチング部を制御して、各放射線検出素子（以下、検出素子）に蓄積された電気信号の読み取りをスイッチングしていき、検出部９２に蓄積された電気信号を読み取ることにより、画像データ（静止画像又は複数のフレーム画像）を生成する。そして、制御部９１は、生成した画像データを、順次コネクタ９４及びブッキー装置１又は２を介してコンソール５に出力する。尚、撮影により取得された各フレーム画像は、一旦ＦＰＤ９ａの記憶部９３に記憶され、全撮影終了後に、纏めてＦＰＤ９ａからコンソール５に出力することとしても良い。
なお、ＦＰＤ９aは、ブッキーに装填されない単体使用時には、バッテリ駆動及び無線通信する構成であるが、動態撮影の場合には、登録第４，５６１，７３０号公報に開示されているように、ブッキーを介した外部電力供給及び有線通信する構成に変更することが好ましい。これは、静止画撮影に比べ、データ転送容量や転送時間が圧倒的に増えるので、一のフレーム画像の転送中に他のフレーム画像の撮影（読取り）に対しノイズを与えないため、且つ、転送時間自体を短くするためであり、さらに、一連の撮影途中のバッテリ切れを防止するためである。
【００５２】
検出部９２は、例えば、ガラス基板等を有しており、基板上の所定位置に、放射線源３ａ〜３ｃの何れかから照射されて少なくとも被写体を透過した放射線をその強度に応じて検出し、検出した放射線を電気信号に変換して蓄積する複数の検出素子が二次元状に配列されている、いわゆる直接型の検出素子である。なお、検出素子は、シンチレータとフォトダイオード等の半導体イメージセンサにより構成される、いわゆる間接型の検出素子を用いても良い。各検出素子は、例えばＴＦＴ（Thin Film Transistor）等のスイッチング部に接続され、スイッチング部により電気信号の蓄積及び読み出しが制御される。
なお、生成された静止画像又はフレーム画像を構成する各画素は、検出部９２の各検出素子のそれぞれから出力された信号値（ここでは、濃度値と呼称する）を示す。
【００５３】
記憶部９３は、例えば半導体の不揮発性メモリ等で構成されている。記憶部９３には、検出部９２を制御するための各種プログラムや自己の識別情報であるＦＰＤＩＤ等が記憶されている。また、記憶部９３には、検出部９２から出力された画像データが一時的に記憶される。
【００５４】
コネクタ９４は、ブッキー装置１、２側のコネクタと接続し、ブッキー装置１又は２とのデータ送受信を行う。また、コネクタ９４は、ブッキー装置１又は２のコネクタから供給される電力を各機能部へ供給する。なお、バッテリ９５を充電する構成としても良い。
【００５５】
バッテリ９５は、制御部９１の制御に基づいて、ＦＰＤ９ａの各部に電力を供給する。バッテリ９５としては、例えばニッカド電池、ニッケル水素電池、リチウムイオン電池等の充電自在な電池等を適用することができる。
【００５６】
ＦＰＤ９ｂは、ＦＰＤ９ａと同様に、制御部９１、検出部９２、記憶部９３、コネクタ９４、バッテリ９５を備えて構成されるが、フレームレートの設定はできない。即ち、ＦＰＤ９ｂは、静止画撮影のみが可能である。
また、単体での使用は勿論のこと、ブッキー装置に装填しても使用可能で、ブッキー装置に装填時には、コネクタ接続により、バッテリ／無線方式から、有線／電力供給方式に切り替えることができる。従い、複数の患者を連続的に静止画撮影する場合に於いても、バッテリ切れを気にする必要がなくなる。  
【００５７】
ＰＡＣＳ１０は、画像データ等を保存するサーバ装置と、当該サーバ装置から診断用の画像を取得して表示するための読影端末とを備えて構成される。ＰＡＣＳ１０のサーバ装置は、コンソール５から送信された画像データや解析結果のデータを撮影オーダ情報に対応付けて記憶する。
【００５８】
次に、診断支援情報生成システム１００における撮影動作について説明する。
図６に、診断支援情報生成システム１００において実行される撮影・解析処理の流れを示す。図６のコンソール５側の処理は、コンソール５の制御部５１と記憶部５２に記憶されているプログラムとの協働により実行される。解析用ＷＳ８側の処理は、解析用ＷＳ８の制御部と記憶部に記憶されている解析プログラムとの協働により実行される。
【００５９】
まず、撮影技師等の操作者は、何れかの撮影室のコンソール５の入力部５３を操作して撮影オーダ情報の一覧を表示する撮影オーダリスト画面を表示部５４に表示させる。そして、入力部５３を操作することにより撮影オーダリスト画面から撮影対象の撮影オーダ情報を指定する。
【００６０】
コンソール５においては、入力部５３により撮影対象の撮影オーダ情報が指定されると（ステップＳ１）、記憶部５２の撮影管理テーブル５２１が参照され、当該コンソール５が設置されている撮影室で選択された撮影オーダ情報に基づく撮影が可能であるか否かが判断される（ステップＳ２）。例えば、撮影オーダ情報により動態撮影が指示されていた場合、撮影管理テーブル５２１が参照され、その撮影室に、連射が可能な管球タイプの放射線源及び動態撮影対応のＦＰＤが存在しているか否かが判断され、存在していると判断された場合に、動態撮影が可能であると判断される。具体的には、撮影室に設けられている放射線源が動態撮影対応で１つのみの場合は、撮影管理テーブル５２１に記憶されているＦＰＤＩＤ（即ち、ブッキー装置から送信されたＦＰＤＩＤ）が動態撮影対応のＩＤであるか否かに基づいて、撮影オーダ情報に基づく動態撮影が可能であるか否かが判断される。撮影室に複数の放射線源が設けられている場合は、撮影管理テーブル５２１に記憶されているＦＰＤＩＤ（即ち、ブッキー装置から送信されたＦＰＤＩＤ）が動態撮影対応のＩＤであるか否か、及び撮影管理テーブル５２１において上記ＦＰＤＩＤが対応付けられたブッキーＩＤ（即ち、ブッキー装置からＦＰＤＩＤとともに送信されたブッキーＩＤ）が動態撮影対応の放射線源に対応しているか否かに基づいて、撮影オーダ情報に基づく動態撮影が可能であるか否かが判断される。
【００６１】
当該コンソール５が設置されている撮影室において、選択された撮影オーダ情報に基づく撮影が可能であると判断されると（ステップＳ２；ＹＥＳ）、処理はステップＳ４に移行する。
【００６２】
当該撮影室では選択された撮影オーダ情報に基づく撮影が不可能であると判断されると（ステップＳ２：ＮＯ）、表示部５４に警告が表示される（ステップＳ３）。例えば、撮影オーダ情報により動態撮影が指示されているにもかかわらず、連射可能な管球が撮影室に存在していないと判断されると（図１の撮影室Ｒ２のような場合）、「この撮影室では撮影できません」等の警告が表示される。また、例えば、撮影オーダ情報により指定された体位を動態撮影するためのブッキー装置に動態撮影対応のＦＰＤ９ａが装着されていないと判断されると、「立位（臥位）用のブッキー装置にＦＰＤ９ａを装着してください」等の警告が表示される。そして、撮影・解析処理は終了する。なお、撮影オーダ情報により指定された体位を動態撮影するためのブッキー装置に動態撮影対応のＦＰＤ９ａが装着されていない場合、動態撮影対応のＦＰＤを該当するブッキー装置に装着すれば、撮影管理テーブル５２１の内容は更新される。従って、撮影可能と判断され、処理はステップＳ４に移行する。
なお、この場合、一旦、撮影室内でＦＰＤの入替操作を行って、再度コンソールまで戻り、再度ステップＳ１の処理から行わせ、確実性を高めるフローとしても良い。
【００６３】
なお、ステップＳ２において撮影が可能であると判断した場合にも、撮影が可能である旨を表示部５４に表示することとしてもよい。また、撮影が可能であると判断した場合、撮影管理テーブル５２１に記憶されているＦＰＤからの画像受信時刻に基づいて、そのＦＰＤが現在使用中であるか否かを判断し、使用中である場合は、その旨を警告する表示を選択画面に表示することとしてもよい。
【００６４】
ステップＳ４においては、指定された撮影オーダ情報の撮影が可能な放射線源及びＦＰＤが起動され、使用されるブッキー装置に応じて放射線源の向き及び位置が調整される。撮影技師により被写体に応じてＦＰＤやブッキー装置の位置等が調整されると、それに応じて放射線源の向き及び位置が調整される（ステップＳ４）。また、記憶部５２から撮影する部位や動態撮影か静止画撮影かの別に応じた放射線照射条件及び画像読取条件が読み出され、放射線源に放射線照射条件が設定されるとともに、ブッキー装置を介してＦＰＤに画像読取条件が設定される（ステップＳ５）。動態撮影の結果を用いて解析を行う場合は、診断に使用し得る解析精度を確保するため、フレームレートが３．７５枚／秒以上に設定される。ここで、操作者は、肺野の動態撮影の場合、安静呼吸の動態を撮影するために被験者に楽にするように指示し、安静呼吸を続けるよう促す。撮影準備が整った時点で、技師は前室へ移動し、操作卓６を操作して放射線照射指示を入力する。
【００６５】
操作卓６からの放射線照射指示が入力されると（ステップＳ６；ＹＥＳ）、撮影に使用される放射線源及びＦＰＤが制御され、撮影が行われる（ステップＳ７）。
動態撮影の場合は、ステップＳ５で設定されたパルス間隔で放射線源３ａにより放射線が照射され、ステップＳ５で設定されたフレームレートでＦＰＤ９ａによりフレーム画像が取得される。予め定められたフレーム画像数の撮影が終了すると、制御部５１により放射線源３ａ及びＦＰＤ９ａに撮影終了の指示が出力され、撮影動作が停止される。撮影されるフレーム画像数は、少なくとも動態１サイクルが撮影できる枚数である。撮影により取得されたフレーム画像はＦＰＤ９ａからブッキー装置を介して順次コンソール５に入力される。  
なお、撮影オーダ情報により解析が指示されていない場合には、オフセット補正用のダーク画像を読取り、コンソール５に入力することとしても良い。
静止画撮影の場合は、ステップＳ５で設定された条件で被写体の１枚の静止画像及びオフセット補正用の１または数枚のダーク画像が撮影される。撮影により取得された静止画像及びダーク画像は、ＦＰＤからブッキー装置を介してコンソール５に入力される。
【００６６】
次いで、解析用ＷＳ８で解析を行うか否かが判断される（ステップＳ８）。ここで、解析用ＷＳ８において解析を行うか否かの判断は、例えば、ステップＳ１で指定された撮影オーダ情報に基づいて判断される。撮影オーダ情報により静止画撮影がオーダされていれば、解析は行わないと判断される。動態撮影がオーダされている場合は、撮影オーダ情報により解析が必要である旨を示す情報が含まれている場合に、解析が必要であると判断される。
【００６７】
解析用ＷＳ８で解析を行わないと判断されると（ステップＳ８；ＮＯ）、撮影により得られた画像に対して補正処理が行われ（ステップＳ９）、処理はステップＳ１０に移行する。ステップＳ９の補正処理においては、上述のダーク画像を用いたオフセット補正処理、ゲイン補正処理、欠陥画素補正処理、ラグ（残像）補正処理等の補正処理が必要に応じて行われる。解析を行う場合は、処理時間の短縮化優先するためにこれらの補正処理を省略しても良く、処理はステップＳ１０に移行する。
本件発明者等は、動態解析においては、静止画のような個々の画素の絶対的出力値はあまり重要ではなく、個々の画素におけるフレーム間の相対的出力値（変動成分）に基づく特徴量の算出が基本となっているため、上記の補正処理の一部或いは全部を省略しても、補正処理を行った場合と略同等の解析結果を得ることが可能である知見を得た。従い、解析結果を得るまでの時間を短縮するため、一部或いは全部の補正処理を省略することできる。
【００６８】
ステップＳ１０においては、撮影により得られたフレーム画像又は静止画像が撮影オーダ情報と対応付けて記憶部５２に記憶される（ステップＳ１０）。なお、撮影に得られたフレーム画像には、撮影順を示す番号が付与され、各画像のヘッダ情報等に記憶される。
【００６９】
次いで、順次入力された画像が間引き処理され、表示部５４に表示される（ステップＳ１１）。ここでいう間引き処理は、各フレーム画像や静止画像の画素数を減らす処理を指す。例えば、所定の画素間隔毎の画素で構成された間引き画像を作成する処理（単純間引き処理と呼ぶ）と、フレーム画像を所定サイズの画素ブロック単位、例えば、２ｍｍ×２ｍｍ角単位の小領域に分割し、各小領域内の画素の信号値の代表値（ここでは、平均信号値とする）を算出して小領域内の画素の信号値を算出された代表値に置き換えるビニング処理が含まれる。ビニング処理では、各小領域単位を一つの画素とみなして取り扱うことで、処理対象の画素数を低減することができる。ビニング処理では、動態画像の場合、各フレーム画像間の対応する各小領域は検出素子の同じ位置の出力を示す画素群からなるように分割が行われる。例えば、フレーム画像上の同一画素位置（０、０）を基点として２ｍｍ×２ｍｍ角で分割が行われる。なお、ビニング処理における各画素ブロックのサイズは、診断対象（即ち、解析対象）となる撮影部位に応じたサイズとすることが好ましい。また、後段で解析処理を行う場合には、解析により算出される特徴量に応じたサイズとすることが好ましい。
【００７０】
次いで、間引きされたフレーム画像が表示部５４に表示される（ステップＳ１２）。
撮影技師は、表示された動態画像によりポジショニング等を確認し、撮影により診断に適した画像が取得された（撮影ＯＫ）か、再撮影が必要（撮影ＮＧ）か、を判断する。そして、入力部５３を操作して、判断結果を入力する。尚、撮影により取得された各フレーム画像は、一旦ＦＰＤ９ａの記憶部９３に記憶され、全撮影の終了後に纏めてＦＰＤ９ａからコンソール５へ出力されるようにしても良い。
【００７１】
入力部５３の所定の操作により撮影ＮＧを示す判断結果が入力されると（ステップＳ１３；ＮＯ）、記憶部５２に記憶された一連のフレーム画像が削除され（ステップＳ１４）、本処理は終了する。なお、この場合、再撮影が行われることとなる。
入力部５３の所定の操作により撮影ＯＫを示す判断結果が入力されると（ステップＳ１３；ＹＥＳ）、解析を行うか否かが判断される（ステップＳ１５）。解析を行うか否かの判断は、例えば、ステップＳ８で説明したのと同様の判断により行われる。解析を行わないと判断されると（ステップＳ１５；ＮＯ）、撮影された静止画像又はフレーム画像が必要に応じて画像処理され、ネットワーク通信部５６を介してＰＡＣＳ１０のサーバ装置に送信される（ステップＳ１６）。なお、ＰＡＣＳ１０のサーバ装置においては、受信された静止画像又はフレーム画像が撮影オーダ情報に対応付けて保存される。
【００７２】
一方、解析を行うと判断されると（ステップＳ１５；ＹＥＳ）、撮影により得られた一連のフレーム画像群から解析に使用するフレーム画像群を選択する処理が行われる（ステップＳ１７）。
【００７３】
ここで、ステップＳ１７の処理について説明する。ステップＳ１７においては、まず、表示部５４に、撮影により得られた一連のフレーム画像のサムネイル画像が撮影順に並べて表示された選択用画面５４１が表示される。図７に、選択用画面５４１の一例を示す。図７に示すように、選択用画面５４１には、一連のフレーム画像が並べて表示されているとともに、選択枠５４１ａが表示されている。
【００７４】
解析に必要となる枚数以上のフレーム画像を用いて解析を行うと、データ転送時間や解析処理時間がかかり、好ましくない。処理時間短縮のためには、撮影された一連のフレーム画像の中から解析に使用する枚数のフレーム画像を選択することが必要となる。一方、動態画像の解析は、後述するように、主として動態周期や隣接するフレーム画像間での信号値の差分等に基づき行われるので、動態画像の解析結果を被写体の真の特徴量を表す結果とするには、被写体の動態一周期以上の枚数の、連続する一連のフレーム画像が必要である。そこで、ステップＳ１７においては、解析に必要な枚数分の連続するフレーム画像を操作者が正しく選択するためのＧＵＩとして選択用画面５４１を提供する。具体的には、選択枠５４１ａを用いて選択させるようにすることで、連続しない１コマ毎の画像選択や、一周期に満たない選択を防止する。
【００７５】
選択枠５４１ａを表示するために、まず、解析に必要な画像枚数ｎが算出される。例えば、記憶部５２に平均的な成人等の動態周期を部位毎に記憶しておき、撮影に利用された画像読取条件に含まれるフレームレートと、被写体部位の動態周期とに基づいて、解析に必要な画像枚数ｎが算出される。例えば、肺の換気についての解析を行うのであれば、平均的な成人であれば呼吸周期が３．３秒前後であるので、フレームレートが５枚／秒であれば２０枚、フレームレートが７．５枚／秒であれば３０枚程度必要となる。解析に必要な枚数ｎが算出されると、連続するｎ枚のフレーム画像のサムネイル画像を囲う選択枠５４１ａが表示される。デフォルトでは、撮影順番が１番〜ｎ番までが選択枠５４１ａに囲まれて表示される。選択用画面５４１には、次ページボタン５４１ａ、最終ページボタン５４１ｃ、確定ボタン５４１ｄ等が設けられている。次ページボタン５４１ａが押下されると、次のページが表示される。最終ページボタン５４１ｃが押下されると、最終ページが表示される。操作者により一のサムネイル画像が選択されると、選択されたフレーム画像を先頭としてｎ枚の画像を囲った選択枠５４１ａが表示される。確定ボタン５４１ｄが押下されると、選択枠５４１ａで囲まれたサムネイル画像のフレーム画像群が解析に用いる画像として選択される。
なお、選択されたフレーム画像を先頭とすると必要な枚数が確保できない場合がある。このような場合は、選択用画面５４１上に警告をポップアップ表示する。このポップアップ画面でフレーム画像数不足のまま解析を行うか、選択しなおすかをユーザに選択させるようにしてもよい。また、本実施の形態においては、解析に使用する始点となるフレーム画像を選択させることとしているが、最終画像をユーザに選択させる構成としてもよい。
【００７６】
なお、解析項目によっては、連続する動態周期以上の一連のフレーム画像とともに、例えば肺野であれば最大呼気、最大吸気の画像が必要となる場合もある。このような場合には、選択枠５４１ａによる選択に加えて、単発でフレーム画像を選択することを可能とする。例えば、入力部５３のマウスによりフレーム画像のサムネイル画像をクリックすると、その画像が始点となるように選択枠５４１ａが移動し、ダブルクリックすると単発でフレーム画像が選択される。
【００７７】
一連のフレーム画像群から解析に使用するフレーム画像群が選択されると、選択されたフレーム画像の間引きデータが撮影オーダ情報と対応付けられ、ネットワーク通信部５６を介して解析用ＷＳ８に送信される（ステップＳ１８）。例えば、選択された一連のフレーム画像の間引きデータのそれぞれに、動態画像を識別するための識別ＩＤや、患者情報、撮影部位、放射線照射条件、画像読取条件（フレーム間隔等）、撮影順を示す番号、フレーム枚数、撮影日時等の情報が付帯され（例えば、ＤＩＣＯＭ（Digital Imaging and Communications in Medicine）マルチフォーマットのファイルフォーマットで画像データのヘッダ領域に書き込まれ）、ネットワーク通信部５６を介して解析用ＷＳ８に送信される。また、解析項目も併せて解析用ＷＳ８に通知される。
【００７８】
解析用ＷＳ８においては、受信したフレーム画像群に基づいて解析処理が行われる（ステップＳ１９）。
解析処理の内容は、撮影部位毎に異なる。ここでは、肺野の解析を行う場合を例にとり説明する。
【００７９】
肺野の解析としては、肺野の局所的な動きを示す特徴量を算出する解析と、肺野全体の動きを示す特徴量を算出する解析とがある。また、換気機能を対象とする解析と、血流機能を対象とする解析とがある。
【００８０】
肺野の換気機能による局所的な信号変化を示す特徴量を算出する解析としては、例えば、下記の（１）〜（６）の項目が挙げられる。以下、各特徴量毎に、その算出方法の手順について簡単に説明する。なお、下記においては、解析に必要な処理を明確にするため、撮影されたフレーム画像の生データ（ＲＡＷデータ）から特徴量を算出する処理内容について説明するが、本実施の形態においては、解析用ＷＳ８へのフレーム画像送信時のデータ量の削減及び処理時間の短縮化の観点から、すでに各フレーム画像に、間引き処理の1種であるビニング処理が施されている（即ち、所定サイズの小領域に分割され、小領域毎に信号値の平均化が行われている）。
【００８１】
解析用ＷＳ８の解析処理においては、従来のようにワーピング処理を施してフレーム画像間の画素を対応付けて特徴量を算出するのではなく、ワーピング処理は施さずにＦＰＤ９ａにおける同一位置の検出素子の出力を示す画素を互いに対応付けて特徴量の算出を行い、特徴量の精度を維持したまま処理時間を大幅に短縮した点に特徴がある。
【００８２】
（１）換気−フレーム間差分画像
フレーム間差分画像は、一連のフレーム画像に以下の処理を施すことによって算出される。
ビニング処理→時間軸方向のローパスフィルタ処理→フレーム間差分処理→ノイズ除去処理
ビニング処理は、上述のように、各フレーム画像において、画像領域を所定サイズの画素ブロック単位の小領域に分割し、小領域毎に領域内画素の信号値の代表値、例えば、平均値を算出する（平均化する）処理である。なお、代表値としては、平均値に限らず、中央値、平均値、最頻値としてもよい。画素ブロックのサイズは、解析対象となる部位、及び／又は解析により算出される特徴量に応じたものとすることが解析精度向上の点から好ましい。
時間軸方向のローパスフィルタ処理は、換気による信号値の時間変化を抽出するための処理であり、例えば、カットオフ周波数０．５Ｈｚでフィルタリングする。
フレーム間差分処理は、一連のフレーム画像の同じ画素位置の小領域（ＦＰＤの同じ位置の検出素子から出力された領域）を互いに対応付け、各小領域毎に、隣接するフレーム画像間で信号値の差分値を算出し、フレーム間差分画像を作成する処理である。
なお、フレーム間差分画像の静止画像を作成する場合は、肺野全体の濃度変化又は横隔膜の位置の変化を解析することにより一連のフレーム画像における吸気期間と呼気期間を算出し、小領域毎に吸気期間については正のフレーム間差分値の絶対値を積算し、呼気期間については負のフレーム間差分値の絶対値を積算した画像を作成する。
【００８３】
（２）換気−波形描画
換気−波形描画は、一連のフレーム画像に以下の処理を施すことによって算出される。
ビニング処理→時間軸方向のローパスフィルタ処理→波形描画
ビニング処理及び時間軸方向のローパスフィルタ処理は上述のとおりである（以下同じ）。
波形描画処理は、一連のフレーム画像の同じ画素位置の小領域（ＦＰＤの同一位置の検出素子から出力された画素ブロックの領域）を互いに対応付け、各小領域毎に、横軸を撮影開始からの経過時間、縦軸を画素の平均信号値とした座標平面を作成して、各フレーム画像の撮影開始からの経過時間とその小領域について算出された平均信号値が交わる点をプロットすることより、換気量を示す信号値の時間変化を示す波形を描画する処理である。
【００８４】
（３）換気−気流速度
気流速度は、各小領域の肺のやわらかさ（肺コンプライアンス）を示す特徴量である。気流速度は、一連のフレーム画像に、以下の処理を施すことによって算出される。
ビニング処理→時間軸方向のローパスフィルタ処理→フレーム間差分処理→フレーム間差分値の代表値（最大値もしくは平均値）を算出
【００８５】
なお、最大値を代表値とする場合、各小領域毎に、呼気期間と吸気期間のそれぞれの期間における気流速度の最大値を表す指標として、呼気期間、吸気期間における信号変化(フレーム間差分値)の最大値をそれぞれ算出し、その比（最大流速比）の分布を示すヒストグラムを作成するとともに、何れか１つのフレーム画像上の各小領域を最大流速比に応じた輝度もしくは色で示す画像を作成し、両者を並べて解析結果として提供してもよい。この解析を最大流速比のヒストグラム解析と呼ぶ。
最大流速比のヒストグラム解析では、図８に示すように、各小領域の吸気気流速度の最大値（絶対値）と呼気気流速度の最大値（絶対値）との比の値がヒストグラム表示されるとともに、ＣＯＰＤであるか否かの指標となる肺野全体での平均値や標準偏差が表示された画像が生成される。また、併せて静止画像上の各小領域を比の値に応じた輝度もしくは色で示すことで、異常個所の分布を医師が容易に把握できるような診断情報提供する。
【００８６】
（４）換気量の振幅
換気量の振幅は、一連のフレーム画像に以下の処理を施すことによって算出される。
ビニング処理→時間軸方向のローパスフィルタ処理→一連のフレーム画像の同じ画素位置の小領域（ＦＰＤの同一位置の検出素子から出力された画素ブロックの領域）を互いに対応付け、各小領域毎に、呼吸１サイクル中の最大信号値（極大値）−最小信号値（極小値）の算出
【００８７】
（５）吸気遅延時間
吸気遅延時間は、一連のフレーム画像に以下の処理を施すことによって算出される。
ビニング処理→時間軸方向のローパスフィルタ処理→一連のフレーム画像の同じ画素位置の小領域（ＦＰＤの同一位置の検出素子から出力された画素ブロックの領域）を互いに対応付け、肺野全体の濃度変化又は横隔膜位置の変化を解析することにより安静呼気位のフレーム画像を抽出し、各小領域毎に、安静呼気位のフレーム画像から、吸気時において安静呼気位の信号値との差が所定の閾値以上となるまでの時間の算出
【００８８】
（６）吸気時間、呼気時間
吸気時間、呼気時間は、一連のフレーム画像に以下の処理を施すことによって算出される。
ビニング処理→時間軸方向のローパスフィルタ処理→一連のフレーム画像の同じ画素位置の小領域（ＦＰＤの同一位置の検出素子から出力された画素ブロックの領域）を互いに対応付け、各小領域毎に、呼吸１サイクル中の最大信号値（極大値）、最小信号値（極小値）の算出→最大信号値から最小信号値までの時間を呼気時間、最小信号値から最大信号値までの時間を呼気時間として算出
【００８９】
肺野内の血流による局所的な信号変化を示す特徴量を算出する解析としては、例えば、下記の（７）〜（１０）が挙げられる。以下、各特徴量毎に、その算出方法の手順について簡単に説明する。なお、下記においては、撮影されたフレーム画像の生データ（ＲＡＷデータ）から特徴量を算出する処理内容について説明するが、本実施の形態においては、解析用ＷＳ８へのフレーム画像送信時のデータ量の削減及び処理時間の短縮化の観点から、すでに各画像にビニング処理が施されている（即ち、所定サイズの小領域に分割され、小領域毎に信号値の平均化が行われている）。
【００９０】
（７）血流−フレーム間差分画像
フレーム間差分画像は、一連のフレーム画像に以下の処理を施すことによって算出される。
ビニング処理→時間軸方向のハイパスフィルタ処理→フレーム間差分処理→ノイズ除去
時間軸方向のハイパスフィルタ処理は、血流による信号値の時間変化を抽出するための処理であり、例えば、カットオフ周波数０．７Ｈｚでフィルタリングする。その他は、上述の（１）換気−フレーム間差分画像で説明した処理と同様である。
【００９１】
（８）血流−波形描画
血流−波形描画は、一連のフレーム画像に以下の処理を施すことによって算出される。
ビニング処理→時間軸方向のハイパスフィルタ処理→各小領域毎の波形描画
ビニング処理及び時間軸方向のハイパスフィルタ処理は上述のとおりである（以下同じ）。
波形描画処理は、上述の（２）換気−波形描画で説明した処理と同様の処理である。
【００９２】
（９）血流量の振幅
血流量の振幅は、一連のフレーム画像に以下の処理を施すことによって算出される。
ビニング処理→時間軸方向のハイパスフィルタ処理→一連のフレーム画像の同じ画素位置の小領域（ＦＰＤの同一位置の検出素子から出力された画素ブロックの領域）を互いに対応付け、各小領域毎に、心拍１サイクル中の最大信号値（極大値）−最小信号値（極小値）の算出
【００９３】
（１０）心室収縮遅延時間
吸気遅延時間は、一連のフレーム画像に以下の処理を施すことによって算出される。
ビニング処理→時間軸方向のハイパスフィルタ処理→一連のフレーム画像の同じ画素位置の小領域（ＦＰＤの同一位置の検出素子から出力された画素ブロックの領域）を互いに対応付け、心室領域の濃度変化又は心壁位置の変化を解析することにより心室拡張期の終わりに相当するフレーム画像を抽出し、各小領域毎に、心室拡張期の終わりに相当するフレーム画像から、心室収縮期において心室拡張期の終わりの信号値との差が所定の閾値以上となるまでの時間の算出
【００９４】
肺野全体の動きを示す特徴量を算出する解析としては、例えば、下記の（１１）〜（１５）が挙げられる。以下、各特徴量毎に、その算出方法の手順について簡単に説明する。なお、本実施の形態においては、解析用ＷＳ８へのフレーム画像送信時のデータ量の削減及び処理時間の短縮化の観点から、各フレーム画像にビニング処理が施されているが、ビニング処理は行っても行わなくても下記特徴量は算出可能である。
【００９５】
（１１）横隔膜移動量解析
横隔膜移動量は、撮影された各フレーム画像に、以下の処理を施すことによって算出される。
画像解析により各フレーム画像から横隔膜の位置を抽出→各フレーム画像の横隔膜の位置を追跡し、移動量を算出
（１２）胸郭移動量解析
胸郭移動量は、撮影された各フレーム画像に、以下の処理を施すことによって算出される。
画像解析により各フレーム画像から上部胸郭（上肋骨（第２〜第６肋骨））、下部胸郭（下肋骨（第７〜第１０肋骨））の位置を抽出→各フレーム画像の上胸郭、下胸郭の位置を追跡し、移動量を算出する。
（１３）呼吸数、呼吸周期
呼吸数、呼吸周期は、撮影された各フレーム画像に、以下の処理を施すことによって算出される。
各フレーム画像から画像解析により求めた横隔膜位置（肺尖から横隔膜までの距離）の変化若しくはローパスフィルタ処理後の肺野全体の信号変化（信号値（平均信号値）の極大値から次の極小値までの時間間隔）より呼吸周期を求め、呼吸周期の逆数から単位時間当たりの呼吸数を算出する。    
（１４）心拍数、心周期
心拍数、心周期は、撮影された各フレーム画像に、以下の処理を施すことによって算出される。
各フレーム画像から画像解析により求めた心壁位置の変化若しくはハイパスフィルタ処理後の肺野全体の信号変化（信号値（平均信号値）の極大値から次の極小値までの時間間隔）より心周期を求め、心周期の逆数から単位時間当たりの呼吸数を算出する。  
（１５）スパイロ検査相当の値の算出
横隔膜位置の時間変化波形を算出し、ＦＥＶ１．０％（一秒率）相当の値を算出する。
胸郭と横隔膜位置の変化から肺野面積の変化量を算出し、別途測定した胸厚の変化量を乗ずることで、ＶＣ（肺活量）相当の値を算出する。
【００９６】
解析処理が終了すると、解析用ＷＳ８において、解析結果のデータが通信ネットワークＮを介してコンソール５に送信される（ステップＳ２０）。コンソール５においては、ネットワーク通信部５６により解析結果のデータが受信されると、受信された解析結果のデータが撮影オーダ情報と対応付けられてＰＡＣＳ１０に送信される（ステップＳ２１）。そして、撮影・解析処理は終了する。なお、特徴量の解析に使用した各フレーム画像データに関しては、静止画のような濃度諧調ベースの病変部読影には使用できないものであるので、保存データ容量削減の観点から、保存せず、算出された特徴量データのみを保存することが好ましい。
また、解析用ＷＳ８にて、解析結果のデータと、コンソール５か受信した撮影オーダ情報を対応付け、これらのデータを解析用ＷＳ８からＰＡＣＳ１０に送信する構成としても良い。
【００９７】
ＰＡＣＳ１０においては、受信された解析結果データが撮影オーダ情報に対応付けてサ
ーバ装置のＨＤＤ等に記憶される。そして、読影用端末からの要求に応じて読影用端末表示部に解析結果が表示される。
【００９８】
なお、上記実施の形態においては、各撮影室にコンソール５を配置し、各撮影室のコンソール５で撮影室内における撮影を制御することとして説明したが、図９に示す診断支援情報生成システム２００のように、撮影室の外に１又は複数のコンソール５を設置して各撮影室の操作卓６及びアクセスポイントＡＰと接続可能な構成とし、各コンソール５が撮影室Ｒ１〜Ｒ３の何れの撮影についても制御できるようにしてもよい。
【００９９】
図９に示す診断支援情報生成システム２００においては、例えば、各コンソール５の記憶部５２に図１０に示す撮影管理テーブル５２２が記憶される。撮影管理テーブル５２２は、図１０に示すように「撮影室ＮＯ．」、「管球タイプ」、「ブッキーＩＤ」、「ＦＰＤＩＤ」、「画像受信時刻」等の項目を有し、各撮影室ＮＯ．に対応付けて当該撮影室ＮＯ．の撮影室に設けられている放射線源の管球タイプ及びブッキー装置のブッキーＩＤ、そのブッキー装置に現在装着されているＦＰＤのＦＰＤＩＤ、現在その撮影室に存在するＦＰＤのＦＰＤＩＤ、画像受信時刻等を記憶可能とする。各撮影室のブッキー装置においては、ＦＰＤが装着された際に、装着されたＦＰＤからＦＰＤＩＤを取得し、撮影室ＮＯ．、ＦＰＤＩＤ及び自己のブッキーＩＤを各コンソール５に送信する。同様に、各撮影室のクレードル４においては、ＦＰＤが装着された際に、装着されたＦＰＤからＦＰＤＩＤを取得し、撮影室ＮＯ．及びＦＰＤＩＤを各コンソール５に送信する。このように構成すれば、各コンソール５において各撮影室Ｒ１〜Ｒ３の状況を把握し、指定された撮影オーダ情報に基づく撮影が可能な撮影室を判断することが可能となる。
【０１００】
例えば、各コンソール５において、動態撮影を指示する撮影オーダ情報が指定された際に、制御部５１により、撮影管理テーブル５２１に記憶されている情報、例えば、撮影室に存在する管球のタイプやＦＰＤの種類の情報（即ち、各撮影室のブッキー装置やクレードル４から通知されたＦＰＤＩＤの情報）に基づいて各撮影室で動態撮影が可能であるか否かを判断し、判断結果に基づいて、動態撮影が可能な撮影室を抽出する。そして、動態撮影が可能な撮影室が一覧表示され、その一覧の中から入力部５３により撮影に使用する撮影室を選択するための選択画面を表示部５４に表示する。又は、各撮影室に設けられている放射線源の管球タイプ、ブッキー装置、ＦＰＤの種類等を表示部５４に表示し、操作者が撮影オーダ情報に基づく動態撮影が可能な撮影室を入力部５３により容易に選択できるようにしてもよい。或いは、操作者が撮影室を選択するための選択画面を表示部５４に表示し、選択された撮影室で動態撮影が可能か否かを判断して動態撮影が不可能な場合に警告を表示することとしてもよい。コンソール５が１台の場合は、動態撮影が可能であると判断された撮影室について、撮影管理テーブル５２２に記憶されているＦＰＤからの画像受信時刻に基づいて、動態撮影可能なＦＰＤが現在使用中であるか否かを判断し、使用中である場合は、その旨を警告する表示を選択画面に表示することとしてもよい。
【０１０１】
このような制御により、コンソール５と撮影室とが１：１対応でなくｍ：ｎであっても、操作者は、間違いなく撮影オーダ情報に応じた撮影を行うことができる。また、動態撮影が不可能な放射線源やＦＰＤで誤って撮影を開始してしまうことを防止することができる。撮影室が選択されると、制御部５１は選択された撮影室の放射線源及びＦＰＤを起動させる。
なお、診断支援情報生成システム２００におけるその他の動作については診断支援情報生成システム１００で説明したものと同様であるので説明を援用する。
【０１０２】
以上説明したように、本発明に係る診断支援情報生成システム１００によれば、撮影室に設けられたブッキー装置の制御部１１は、コネクタ１２ｂによりＦＰＤが装着されたことが検知されると、装着されたＦＰＤからＦＰＤＩＤを取得し、当該取得したＦＰＤＩＤ及び自己のブッキーＩＤをコンソール５に送信する。コンソール５は、撮影室のコンソールから送信されたＦＰＤＩＤ及びブッキーＩＤと、記憶部５２に記憶されている放射線源及びＦＰＤの種類の情報に基づいて、入力部５３により選択された撮影オーダ情報に基づく撮影の実施可否を判断し、撮影可否の判断結果を表示部５４に表示する。
従って、撮影オーダ情報に基づく撮影が不可能な場合には、その旨を操作者が認識することができるので、撮影オーダ情報に基づく撮影ができない放射線源やＦＰＤを使用して誤って撮影を行うことを防止することができる。撮影室に動態撮影対応の放射線源が１つのみ備えられている場合には、ブッキーＩＤをコンソール５に送信せずともブッキー装置から送信されたＦＰＤＩＤ及び記憶部５２に記憶されているＦＰＤの種類の情報に基づいて、撮影可否を判断することができる。
【０１０３】
また、ＦＰＤ９ａは、ブッキー装置に装着されている場合、動態撮影により生成した画像データをブッキー装置経由で順次コンソール５に送信するので、バッテリ切れを起こすことなくコンソール５に画像データを送信することが可能となる。また、コンソール５側では受信された画像データから順に間引き処理等を開始することができるので、早期に解析結果を取得することが可能となる。
【０１０４】
また、本発明に係る診断支援情報生成システム２００によれば、各撮影室に設けられたブッキー装置又はクレードル４にＦＰＤが装着されることにより各撮影室へ侵入したＦＰＤが検知されると、ブッキー装置又はクレードル４は装着されたＦＰＤからＦＰＤＩＤを取得してコンソール５へ通知する。コンソール５は、各撮影室に設けられた放射線源の種類の情報と、各撮影室のブッキー装置又はクレードル４により通知されたＦＰＤＩＤと、診断支援情報生成システムで用いるＦＰＤのＦＰＤＩＤとそのＦＰＤの種類（動態撮影対応か、静止画対応か）の情報を記憶部５２記憶し、入力部５３により選択された撮影オーダ情報により動態撮影が指示された場合に、記憶部５２に記憶されている情報に基づいて動態撮影が可能な撮影室を抽出して表示部５４に表示する。
従って、コンソール５と撮影室とが１：１対応でなくｍ：ｎであっても、操作者は、動態撮影が可能な撮影室で間違いなく撮影オーダ情報に応じた撮影を行うことができる。また、動態撮影が不可能な放射線源やＦＰＤで誤って撮影を開始してしまうことを防止することができる。
【０１０５】
また、コンソール５の制御部５１は、動態撮影が可能な撮影室の中から一の撮影室が指定されると、当該指定された撮影室内の放射線源及びＦＰＤを起動させるので、動態撮影が不可能な放射線源やＦＰＤで誤って撮影を開始してしまうことを防止することができる。
【０１０６】
また、コンソール５の制御部５１は、各ＦＰＤからの画像データの受信時刻を記憶部５２に記憶しておき、この受信時刻に基づいて、動態撮影が可能なＦＰＤが使用中であるか否かを判断し、使用中であると判断された場合、その旨の警告を表示部５４に表示するので、操作者は、選択した撮影室ではすぐに動態撮影が行えず、他の撮影室に替えたほうがよいことを認識することが可能となる。
【０１０７】
なお、上記実施形態は本発明の好適な一例であり、これに限定されない。
例えば、上記実施形態においては、コンソール５において間引き処理を行うこととして説明したが、例えば、特許第４，５４６，１７４号公報のように、動態画像を撮影する撮影装置側（本実施形態ではＦＰＤ９ａ）でビニング処理や単純間引き処理を行い、処理済みのフレーム画像をコンソール５に送信することとしてもよい。このようにすれば、ＦＰＤとコンソールとの間での画像データの転送時間も短縮することができるので、更に好ましい。
【０１０８】
また、診断支援情報生成システム１００、２００においては、解析用ＷＳ８をコンソール５とは別体で設ける構成としたが、コンソール５が解析用プログラムを備えて解析処理を行う構成としてもよい。このようにすれば、コンソール５から解析用ＷＳ８へ画像データを送信する時間を省くことが可能となるとともに、多のコンソール５による解析処理によって処理が遅れるといった事態も防止することができる。
【０１０９】
また、上記の説明では、本発明に係るプログラムのコンピュータ読み取り可能な媒体としてＨＤＤや半導体の不揮発性メモリ等を使用した例を開示したが、この例に限定されない。その他のコンピュータ読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。
【０１１０】
その他、診断支援情報生成システムを構成する各装置の細部構成及び細部動作に関しても、発明の趣旨を逸脱することのない範囲で適宜変更可能である。
【符号の説明】
【０１１１】
１００  診断支援情報生成システム
１  ブッキー装置
１１  制御部
１２  検出器装着部
１３  通信Ｉ／Ｆ
１４  駆動部
１５  バス
２  ブッキー装置
２１  制御部
２２  検出器装着部
２３  通信Ｉ／Ｆ
２４  駆動部
２５  バス
３ａ  放射線源
３ｂ  放射線源
３ｃ  放射線源
４  クレードル
５  コンソール
５１  制御部
５２  記憶部
５２１  撮影管理テーブル
５３  入力部
５４  表示部
５４１  選択用画面
５５  通信Ｉ／Ｆ
５６  ネットワーク通信部
５７  バス
９ａ  ＦＰＤ
９ｂ  ＦＰＤ
９１  制御部
９２  検出部
９３  記憶部
９４  コネクタ
９５  バッテリ
９６  無線通信部
９７  バス
６  操作卓
７  ＨＩＳ／ＲＩＳ
８  解析用ＷＳ
１０  ＰＡＣＳ
２００  診断支援情報生成システム
【図１】
0005617559.tif 000002
【図２】
0005617559.tif 000003
【図３】
0005617559.tif 000004
【図４】
0005617559.tif 000005
【図５】
0005617559.tif 000006
【図６】
0005617559.tif 000007
【図９】
0005617559.tif 000008
【図１０】
0005617559.tif 000009
【図７】
0005617559.tif 000010
【図８】
0005617559.tif 000011